(57)【特許請求の範囲】
【請求項１】
光源装置と、前記光源装置から出射される光束を変調する光変調装置と、前記光変調装置にて変調される光束を投射する投射光学装置とを備えたプロジェクターであって、
前記光源装置と前記光変調装置とが収納される第１の筐体と、
前記投射光学装置が収納される第２の筐体と、
熱伝導性材料で構成され、前記第１の筐体外面に取り付けられる放熱部材とを備え、
前記第１の筐体は、
前記光源装置の配設位置に対応して設けられる光源用開口部と、
前記第２の筐体に接続される第１の接続部とを備え、
前記放熱部材は、
前記光源用開口部に接続され、前記光源装置と熱伝達可能に接続される光源接続部と、
前記光源接続部における前記光源用開口部が接続される面の互いに対向する端縁に接続され、それぞれ対向するように配置される第１側壁部及び第２側壁部とを備え、
前記第１の筐体と前記第２の筐体とは、
前記光源接続部、前記第１側壁部、及び前記第２側壁部で囲まれる空間に配置される
ことを特徴とするプロジェクター。
【請求項２】
前記第１の接続部は、
前記第２の筐体側から見て、前記投射光学装置の両側に配置され、
前記第２の筐体は、
前記第１の接続部に対応して配置され、前記第１の接続部に接続される第２の接続部を備える
ことを特徴とする請求項１に記載のプロジェクター。
【請求項３】
前記第１の接続部と前記第２の接続部とは、円柱形状の係合部材により接続される
ことを特徴とする請求項２に記載のプロジェクター。
【請求項４】
請求項１に記載のプロジェクターにおいて、
前記第１の筐体には、
前記光変調装置の一部が挿通される第１開口部が形成され、
前記第１側壁部には、
前記第１開口部に挿通される前記光変調装置の一部を避けるように切り欠かれた第２開口部が形成されている
ことを特徴とするプロジェクター。
【請求項５】
請求項１から請求項４のいずれか一項に記載のプロジェクターにおいて、
前記放熱部材は、
前記光源接続部、前記第１側壁部、及び前記第２側壁部に接続される第３側壁部を備え、
前記第１の筐体及び前記第２の筐体は、
前記光源接続部、前記第１側壁部、前記第２側壁部、及び前記第３側壁部で囲まれる空間に配設される
ことを特徴とするプロジェクター。
【請求項６】
請求項５に記載のプロジェクターにおいて、
一端が前記光変調装置に接続されるフレキシブル基板を備え、
前記第１の筐体には、
前記フレキシブル基板を前記第１の筐体及び前記第２の筐体の外部に引廻すための挿通部が形成され、
前記フレキシブル基板は、
前記挿通部を介して他端が前記第３側壁部から離間するように引廻される
ことを特徴とするプロジェクター。
【発明の詳細な説明】
【技術分野】
【０００１】
本発明は、プロジェクターに関する。
【背景技術】
【０００２】
従来、光源装置と、光源装置から出射された光束を変調する光変調装置と、光変調装置にて変調された光束を投射する投射光学装置とを備えたプロジェクターが知られている（例えば、特許文献１参照）。
特許文献１に記載のプロジェクターでは、当該プロジェクターを小型化するために、光源装置として、放電発光型の光源ランプではなく、ＬＥＤ(Light Emitting Diode)光源を採用している。
このＬＥＤ光源は、ＬＥＤ基板に発光素子（発光部）が実装された構成を有する。
そして、光変調装置（液晶装置）は、当該光変調装置やＬＥＤ光源の動作を制御する制御基板に対して、フレキシブル基板を介して電気的に接続され、制御基板からフレキシブル基板を介して信号が出力されることで制御される。
また、ＬＥＤ光源も同様に、ＬＥＤ基板に設けられたコネクターと上記制御基板とがフレキシブル基板にて接続され、上記制御基板からフレキシブル基板を介して信号が出力されることで制御される。
【先行技術文献】
【特許文献】
【０００３】
【特許文献１】特開２００７−３３３７７３号公報
【発明の概要】
【発明が解決しようとする課題】
【０００４】
ところで、光源装置、光変調装置、及び投射光学装置等の光学部品は、通常、容器状の筐体に収納されるものである。
そして、ＬＥＤ光源は、駆動時に発熱するものである。すなわち、当該発熱により、筐体内部の温度が上昇し、他の光学部品（例えば、光変調装置）の温度も上昇することとなり、光源装置や他の光学部品の熱劣化を引き起こす恐れがある、という問題がある。
特に、当該プロジェクターを、デジタルカメラ、携帯電話、ノートＰＣ(Personal Computer)等の電子デバイスと併用（例えば、当該電子デバイスに組み込む）するピコプロジェクター（マイクロプロジェクターあるいはナノプロジェクターと呼ばれることもある）として構成した場合には、筐体内部において、光学部品同士が近接して配設されるため、上記問題が顕著なものとなる。
【０００５】
本発明の目的は、光源装置の発熱による筐体内部の温度上昇を回避できるプロジェクターを提供することにある。
【課題を解決するための手段】
【０００６】
本発明のプロジェクターは、光源装置と、前記光源装置から出射された光束を変調する光変調装置と、前記光変調装置にて変調された光束を投射する投射光学装置とを備えたプロジェクターであって、前記光源装置、前記光変調装置、及び前記投射光学装置が収納される筐体と、熱伝導性材料で構成され、前記筐体外面に取り付けられる放熱部材とを備え、前記筐体には、前記光源装置の配設位置に対応して光源用開口部が形成され、前記放熱部材は、前記光源用開口部を介して前記光源装置に熱伝達可能に接続する光源接続部と、前記光源接続部における互いに対向する端縁からそれぞれ突出する第１側壁部及び第２側壁部とを備え、前記筐体は、前記光源接続部、前記第１側壁部、及び前記第２側壁部で囲まれる空間に配設されることを特徴とする。
【０００７】
本発明では、筐体外面に取り付けられる放熱部材は、筐体に形成された光源用開口部を介して光源装置に熱伝達可能に接続する光源接続部を備える。
このことにより、駆動時に光源装置に発生した熱を、光源接続部を介して筐体外部に効果的に放熱でき、すなわち、光源装置を効果的に冷却できる。
したがって、光源装置の駆動時の発熱による筐体内部の温度上昇を回避でき、光源装置のみならず、光変調装置等の他の光学部品の熱劣化も防止できる。
【０００８】
また、放熱部材は、互いに対向する位置に配設され、光源接続部に接続する第１，第２側壁部を備える。
このことにより、例えば、本発明のプロジェクターをピコプロジェクターとして構成し、デジタルカメラ等の電子デバイスに組み込んだ場合に、当該電子デバイスにおける外装筐体内面に、第１，第２側壁部のいずれか一方を当接させることができる。すなわち、第１，第２側壁部が互いに対向する位置に配設されているため、設計上、第１，第２側壁部の位置関係を逆に設定する必要が生じた場合であっても、電子デバイスにおける外装筐体内面に、第１，第２側壁部のいずれか一方を当接させることができる。
以上のように、電子デバイスにおける外装筐体内面に第１，第２側壁部のいずれか一方を当接させることで、光源装置〜光源接続部〜第１，第２側壁部のいずれか一方〜電子デバイスにおける外装筐体の熱伝達経路を形成できる。そして、当該熱伝達経路を辿って、光源装置の熱を電子デバイスにおける外装筐体外部に効果的に放熱できる。すなわち、電子デバイスにおける外装筐体内部の温度上昇も回避でき、プロジェクターの光学部品のみならず、電子デバイスを構成する各部材の熱劣化も防止できる。
また、上述した光源接続部、及び第１，第２側壁部で囲まれる空間に筐体を配設するように構成することで、放熱部材に上述した放熱機能の他、筐体を補強する機能をも持たせることができる。
【０００９】
本発明のプロジェクターでは、前記筐体には、前記光変調装置の一部が挿通される第１開口部が形成され、前記第１側壁部には、前記第１開口部に挿通された前記光変調装置の一部を避けるように切り欠かれた第２開口部が形成されていることが好ましい。
【００１０】
本発明では、第１側壁部に上述した第２開口部が形成されているので、第１開口部に挿通された光変調装置の一部と第１側壁部とが機械的に干渉することがない。
このため、光源装置〜光源接続部〜第１側壁部の熱伝達経路を辿って、第１側壁部に伝達された熱が光変調装置に伝わることを防止でき、光変調装置の熱劣化を効果的に防止できる。
【００１１】
本発明のプロジェクターでは、前記放熱部材は、前記光源接続部、前記第１側壁部、及び前記第２側壁部に接続する第３側壁部を備え、前記筐体は、前記光源接続部、前記第１側壁部、前記第２側壁部、及び前記第３側壁部で囲まれる空間に配設されることが好ましい。
【００１２】
本発明では、放熱部材は、光源接続部、及び第１，第２側壁部の他、上述した第３側壁部も備える。
このことにより、例えば、本発明のプロジェクターをピコプロジェクターとして構成し、デジタルカメラ等の電子デバイスに組み込んだ場合に、以下の効果がある。
すなわち、ピコプロジェクターを電子デバイスにおける外装筐体内部の角隅部分に配設すれば、第１，第２側壁部のいずれか一方のみならず、第３側壁部も電子デバイスにおける外装筐体内面に当接させることができる。
したがって、放熱部材から電子デバイスにおける外装筐体に伝える熱量を増加させることが可能となり、光源装置の熱を電子デバイスにおける外装筐体外部に効果的に放熱できるとともに、電子デバイスにおける外装筐体内部の温度上昇も効果的に回避できる。
また、放熱部材に上述した第３側壁部を設け、光源接続部、及び第１〜第３側壁部で囲まれる空間に筐体を配設するように構成することで、筐体を効果的に補強できる。
【００１３】
本発明のプロジェクターでは、一端が前記光変調装置に接続されるフレキシブル基板を備え、前記筐体には、前記フレキシブル基板を前記筐体外部に引廻すための挿通部が形成され、前記フレキシブル基板は、前記挿通部を介して他端が前記第３側壁部から離間するように引廻されることが好ましい。
【００１４】
本発明では、フレキシブル基板は、上述したように筐体外部に引廻すための挿通部を介して、他端が第３側壁部から離間するように引廻される。言い換えれば、第３側壁部は、フレキシブル基板（他端）が接続する制御基板の配設側とは逆側に設けられている。
このことにより、例えば、本発明のプロジェクターをピコプロジェクターとして構成し、デジタルカメラ等の電子デバイスに組み込んだ場合に、ピコプロジェクターを電子デバイスにおける外装筐体内部の角隅部分に配設すれば、制御基板の制約を受けることなく（制御基板に邪魔されることなく）、第３側壁部を電子デバイスにおける外装筐体内面に当接させることができる。
【図面の簡単な説明】
【００１５】
【図１】第１実施形態におけるプロジェクターの構成を示す図。
【図２】第１実施形態におけるプロジェクターの構成を示す図。
【図３】第１実施形態における光源装置、光変調装置、及びＦＰＣの構成を説明するための図。
【図４】第１実施形態における筐体の構成を示す図。
【図５】第１実施形態における筐体の構成を示す図。
【図６】第２実施形態におけるプロジェクターの構成を示す図。
【発明を実施するための形態】
【００１６】
[第１実施形態]
以下、本発明の第１実施形態を図面に基づいて説明する。
〔プロジェクターの構成〕
図１及び図２は、第１実施形態におけるプロジェクター１の構成を示す図である。具体的に、図１はプロジェクター１を天面側（上側）から見た斜視図であり、図２はプロジェクター１を底面側（下側）から見た斜視図である。
プロジェクター１は、画像を投射してスクリーン（図示略）上に投影画像を表示する。
なお、本実施形態のプロジェクター１は、デジタルカメラ、携帯電話、ノートＰＣ等の電子デバイス（図示略）に搭載される小型の光学モジュール（ピコプロジェクター）として構成されている。
【００１７】
このプロジェクター１は、図１または図２に示すように、光源装置２（図３参照）と、第１，第２レンズ３Ａ，３Ｂ（図５参照）と、偏光変換素子４（図５参照）と、光変調装置としての液晶パネル５と、フレキシブル基板（以下、ＦＰＣ）６と、投射光学装置としての投射レンズ７（図１）と、筐体８と、放熱部材９とを備える。
そして、上述した構成により、光源装置２から出射された光束は、第１，第２レンズ３Ａ，３Ｂにて略平行化された後、偏光変換素子４にて略１種類の直線偏光に変換される。偏光変換素子４を介した光束（直線偏光）は、液晶パネル５にて変調された後、投射レンズ７にてスクリーン（図示略）に投射される。
【００１８】
〔光源装置、液晶パネル、及びＦＰＣの構成〕
図３は、光源装置２、液晶パネル５、及びＦＰＣ６の構成を説明するための図である。
液晶パネル５は、前記電子デバイス内部に設けられた制御基板（図示略）による制御の下、入射した光束を変調する。
本実施形態では、液晶パネル５は、図３に示すように、パネル本体５１と、入射側偏光板５２と、出射側偏光板５３とを備える透過型の液晶パネルで構成されている。
パネル本体５１は、図３に示すように、ガラスなどからなる平面視矩形状の一対の基板５１１，５１２に電気光学物質である液晶が密閉封入された構成を有している。
このうち、基板５１１は、液晶を駆動するための駆動基板であり、互いに平行に配列形成される複数のデータ線と、複数のデータ線と直交する方向に配列形成される複数の走査線と、走査線及びデータ線の交差に対応してマトリクス状に配列形成される画素電極と、ＴＦＴ（Thin Film Transistor）等のスイッチング素子と、スイッチング素子を駆動する駆動回路とを有している。
【００１９】
また、基板５１２は、基板５１１の光入射側において、基板５１１に対して所定間隔を空けて対向配置される対向基板であり、所定の電圧Ｖcomが印加される共通電極を有している。
そして、ＦＰＣ６（液晶パネル５の駆動用の信号線）を介して前記制御基板から信号を入力することで、所定の前記画素電極及び前記共通電極の間に電圧が印加され、当該画素電極及び共通電極間に介在する液晶の配向状態が制御され、入射した光束が変調される。
入射側偏光板５２は、パネル本体５１の光入射面に取り付けられ、所定の直線偏光（偏光変換素子４にて変換された直線偏光）のみを透過させる。
出射側偏光板５３は、パネル本体５１の光出射面に取り付けられ、偏光変換素子４にて変換された直線偏光の偏光方向に対して直交する偏光方向を有する直線偏光のみを透過させる。
【００２０】
ＦＰＣ６は、例えば、ポリイミド等の基材に信号配線（液晶パネル５の駆動用の信号線、光源装置２に電力を供給するための電源線、光源装置２の点灯制御用の信号線）等がパターニングされることにより形成されたものであり、前記制御基板と液晶パネル５及び光源装置２とを電気的に接続する。
すなわち、ＦＰＣ６の一端側は、液晶パネル５の端部近傍に形成された外部回路接続端子（図示略）に圧着等により電気的に接続されている。
また、ＦＰＣ６の他端側には、コネクター（図示略）が設けられ、当該コネクターを介して前記制御基板に電気的に接続する。
【００２１】
光源装置２は、図３に示すように、発光素子としてのＬＥＤ(Light Emitting Diode)で構成され、ＦＰＣ６に実装されている。
そして、光源装置２は、ＦＰＣ６に形成された電源線（図示略）を介して前記制御基板から点灯用の電力が供給されるとともに、ＦＰＣ６に形成された光源装置２の点灯制御用の信号線を介して前記制御基板から信号を入力することで、点灯制御される。
【００２２】
〔筐体の構成〕
図４及び図５は、筐体８の構成を示す図である。具体的に、図４は放熱部材９の一部（第１側壁部９２）を省略した斜視図であり、図５は図４の状態から筐体８の一部（第２筐体部８２）を取り外した状態を示す斜視図である。
筐体８は、光源装置２、第１，第２レンズ３Ａ，３Ｂ、偏光変換素子４、液晶パネル５、及び投射レンズ７が収納されるものである。
本実施形態では、筐体８は、図４または図５に示すように、光源装置２、第１，第２レンズ３Ａ，３Ｂ、偏光変換素子４、液晶パネル５、及び投射レンズ７を直線状に配設するように構成されている。
【００２３】
この筐体８は、図４または図５に示すように、互いに別体で構成された第１筐体部８１及び第２筐体部８２を備え、第１，第２筐体部８１，８２を互いに組み合わせることで略直方体形状を有する。
なお、以下では、説明の便宜上、筐体８の外面において、上側の面を第１側面８Ｕ、図４中、投射側から見て左側の面を第２側面８Ｌ、下側の面を第３側面８Ｄ、図４中、投射側から見て右側の面を第４側面８Ｒ、投射側の面を第５側面８Ｐ、第５側面８Ｐに対向する面を第６側面８Ｂと記載する。
【００２４】
第１筐体部８１は、光源装置２、第１，第２レンズ３Ａ，３Ｂ、偏光変換素子４、及び液晶パネル５が収納される部分である。
この第１筐体部８１は、図５に示すように、第１本体８１Ａと、一対の第１接続部８１Ｂとを備える。
第１本体８１Ａは、第１側面８Ｕ側が開口した容器状に形成されている。
この第１本体８１Ａにおいて、内面には、図５に示すように、第１側面８Ｕ側から第１，第２レンズ３Ａ，３Ｂ及び偏光変換素子４を第１本体８１Ａ内部にスライドして配設するための複数の溝部８１１が形成されている。
また、第１本体８１Ａにおいて、第６側面８Ｂには、図５に示すように、第１本体８１Ａ内外を連通し、光源装置２を第１本体８１Ａ内部に配設するための光源用開口部８１２が形成されている。
さらに、第１本体８１Ａにおいて、投射側（第５側面５Ｐ側）には、具体的な図示は省略したが、偏光変換素子４を介した光束を通過させるための開口部が形成されている。
【００２５】
一対の第１接続部８１Ｂは、第１本体８１Ａにおける投射側の端部に一体形成され、第１，第２筐体部８１，８２を接続する際に利用される。
これら一対の第１接続部８１Ｂは、投射側から見て左右両側に配設されるとともに、第１側面８Ｕ側から見て略Ｌ字形状を有する。
そして、一対の第１接続部８１Ｂは、液晶パネル５を左右両側から支持するとともに、第１本体８１Ａとの間で液晶パネル５を光の入出射側から支持する。
これら一対の第１接続部８１Ｂにおいて、第１側面８Ｕ側には、図５に示すように、第１，第２筐体部８１，８２を接続するために、一対の第１固定ネジＳｃ１（図４）がそれぞれ螺合される第１ネジ孔８１３がそれぞれ形成されている。
また、一対の第１接続部８１Ｂにおいて、投射側には、図５に示すように、第１，第２筐体部８１，８２を接続する際の位置決めに用いられる突起部８１４がそれぞれ形成されている。
【００２６】
さらに、第４側面８Ｒ側に配設される第１接続部８１Ｂと第１本体８１Ａとの間には、図５に示すように、ＦＰＣ６を筐体８外部に引廻すためのスリット状の挿通部８１５が形成されている。
そして、ＦＰＣ６は、液晶パネル５が筐体８に収納された状態で、図５に示すように、挿通部８１５を介して筐体８外部に引廻される。
また、ＦＰＣ６は、第１筐体部８１の第４側面８Ｒに沿って第６側面８Ｂ側に略９０°折り曲げられ、さらに、第６側面８Ｂに沿って第２側面８Ｌ側に略９０°折り曲げられる。
そして、第１筐体部８１の第６側面８Ｂに形成された一対の位置決め用突起８１６（図２）をＦＰＣ６に形成された一対の位置決め用孔６１（図３）に嵌合させることで、光源装置２が光源用開口部８１２を介して第１筐体部８１内部の所定位置に位置付けられる。
【００２７】
第２筐体部８２は、投射レンズ７が収納される部分である。
この第２筐体部８２は、図４に示すように、第２本体８２Ａと、第２接続部８２Ｂとを備える。
第２本体８２Ａは、略直方体形状を有し、第５側面８Ｐから投射側とは反対側（第６側面８Ｂ側）に掛けて切り欠き部８２１を有し、当該切り欠き部８２１内部に投射レンズ７が収納される。
なお、第２本体８２Ａにおいて、投射側とは反対側には、具体的な図示は省略したが、液晶パネル５を介した光束を通過させるための開口部が形成されている。
第２接続部８２Ｂは、図４に示すように、第２本体８２Ａにおける投射側とは反対側に一体形成され、第１，第２筐体部８１，８２を接続する際に利用される。
【００２８】
この第２接続部８２Ｂは、図４に示すように、第１側面８Ｕ側に位置し、第１，第２筐体部８１，８２を組み合わせた状態で、容器状の第１本体８１Ａの開口部分を閉塞する。
この第２接続部８２Ｂにおいて、一対の第１ネジ孔８１３に対応する位置には、図４に示すように、第１，第２筐体部８１，８２を接続するために、一対の第１固定ネジＳｃ１がそれぞれ挿通される固定用孔８２２が形成されている。
そして、第２筐体部８２は、第１筐体部８１の突起部８１４を第２本体８２Ａの投射側に形成された凹部（図示略）に嵌合することで、第１筐体部８１に対する所定位置に位置決めされ、一対の第１固定ネジＳｃ１により第１筐体部８１に固定される。
【００２９】
また、第２接続部８２Ｂには、図４に示すように、筐体８内部に配設された液晶パネル５の一部（上側の一部）が挿通される第１開口部８２３が形成されている。
なお、本実施形態では、液晶パネル５は、上述したように、第１本体８１Ａ及び略Ｌ字状の一対の第１接続部８１Ｂの間に配設されている。このため、筐体８において、第１側面８Ｕ（第２接続部８２Ｂ）の他、第３側面８Ｄ（第１本体８１Ａと一対の第１接続部８１Ｂとの間）にも、液晶パネル５の一部（下側の一部）が挿通される第１開口部８１７（図２）が形成されている。
【００３０】
〔放熱部材の構成〕
放熱部材９は、銅等の熱伝導性材料で構成されている。
そして、放熱部材９は、筐体８外面に取り付けられ、筐体８内部の光学部品２，３Ａ，３Ｂ，４，５，７、特に、光源装置２の熱を外部に放熱する。
この放熱部材９は、図１、図２、図４または図５に示すように、光源接続部９１と、第１側壁部９２と、第２側壁部９３とを備える。
光源接続部９１は、筐体８における第６側面８Ｂと略同一の平面形状を有する板体で構成され、第６側面８Ｂに取り付けられることで、光源用開口部８１２及びＦＰＣ６を介して、光源装置２に熱伝達可能に接続する。
【００３１】
この光源接続部９１には、図２に示すように、第１筐体部８１に形成された一対の位置決め用突起８１６が嵌合する一対の位置決め用孔９１１が設けられている。
そして、放熱部材９は、一対の位置決め用孔９１１に一対の位置決め用突起８１６をそれぞれ嵌合させることで筐体８に対する所定位置に位置決めされ、一対の第２固定ネジＳｃ２により第６側面８Ｂに固定される。
なお、ＦＰＣ６には、一対の第２固定ネジＳｃ２が挿通される固定用孔６２（図３）が形成されているものである。また、光源接続部９１にも同様の固定用孔（図示略）が形成されているものである。さらに、第６側面８Ｂには、一対の第２固定ネジＳｃ２が螺合する一対のネジ孔（図示略）が形成されているものである。
そして、放熱部材９が第２固定ネジＳｃ２により第６側面８Ｂに固定された状態では、光源接続部９１は、第６側面８Ｂとの間でＦＰＣ６を挟持することとなる。
【００３２】
第１，第２側壁部９２，９３は、図１または図２に示すように、光源接続部９１の互いに対向する上下端縁からそれぞれ略直交して突出する板体で構成され、第１，第３側面８Ｕ，８Ｄとそれぞれ略同一の平面形状を有する。
すなわち、第１，第２側壁部９２，９３は、筐体８に放熱部材９が取り付けられた状態で、筐体８の第１，第３側面８Ｕ，８Ｄに対向するように配設される。言い換えれば、筐体８は、光源接続部９１、第１，第２側壁部９２，９３で囲まれる側方から見て略Ｕ字状の空間に配設されることとなる。
これら第１，第２側壁部９２，９３において、各第１開口部８２３，８１７に対向する位置には、図１または図２に示すように、各第１開口部８２３，８１７を介して挿通された液晶パネル５の一部を避けるように切り欠かれた第２開口部９２１，９３１がそれぞれ形成されている。
【００３３】
上述した第１実施形態によれば、以下の効果がある。
本実施形態では、筐体８外面に取り付けられる放熱部材９は、光源用開口部８１２を介して光源装置２に熱伝達可能に接続する光源接続部９１を備える。
このことにより、駆動時に光源装置２に発生した熱を、光源接続部９１を介して筐体８外部に効果的に放熱でき、すなわち、光源装置２を効果的に冷却できる。
したがって、光源装置２の駆動時の発熱による筐体８内部の温度上昇を回避でき、光源装置２のみならず、他の光学部品３Ａ，３Ｂ，４，５，７の熱劣化も防止できる。
【００３４】
また、放熱部材９は、互いに対向する位置（上下の各位置）に配設され、光源接続部９１に接続する第１，第２側壁部９２，９３を備える。
このことにより、プロジェクター１を前記電子デバイスに組み込んだ場合に、当該電子デバイスにおける外装筐体内面に、第１，第２側壁部９２，９３のいずれか一方を当接させることができる。すなわち、第１，第２側壁部９２，９３が互いに対向する位置に配設されているため、設計上、第１，第２側壁部９２，９３の位置関係を逆に設定する必要が生じた場合であっても、前記電子デバイスにおける外装筐体内面に、第１，第２側壁部９２，９３のいずれか一方を当接させることができる。
【００３５】
特に、本実施形態では、ＦＰＣ６は、前記電子デバイス内部に配設される制御基板に接続する他端が筐体８における第２側面８Ｌ側に位置するように引廻されている。すなわち、ＦＰＣ６が上述したように引廻されているため、前記電子デバイス内部における第１，第２側壁部９２，９３の位置関係（上下の位置関係）は、プロジェクター１に対する前記制御基板の位置により必然的に定められることとなる。
例えば、プロジェクター１の投射側から見て、前記制御基板がプロジェクター１の左側に位置付けられる場合には、ＦＰＣ６の他端が投射側から見て左側（前記制御基板の配設側）に引廻されるように、第１側壁部９２を上側、第２側壁部９３を下側に位置付ける必要がある（図１）。一方、プロジェクター１の投射側から見て、前記制御基板がプロジェクター１の右側に位置付けられる場合には、ＦＰＣ６の他端が投射側から見て右側に引廻されるように、図１とは逆に、第２側壁部９３を上側、第１側壁部９３を下側に位置付ける必要がある。
したがって、前記制御基板の位置によって、第１，第２側壁部９２，９３の位置関係を逆（プロジェクター１を上下逆）に設定する必要が生じた場合であっても、前記電子デバイスにおける外装筐体内面（天面あるいは底面）に、第１，第２側壁部９２，９３のいずれか一方を当接させることができる。
【００３６】
以上のように、前記電子デバイスにおける外装筐体内面に第１，第２側壁部９２，９３のいずれか一方を当接させることで、光源装置２〜光源接続部９１〜第１，第２側壁部９２，９３のいずれか一方〜前記電子デバイスにおける外装筐体の熱伝達経路を形成できる。そして、当該熱伝達経路を辿って、光源装置２の熱を前記電子デバイスにおける外装筐体外部に効果的に放熱できる。すなわち、前記電子デバイスにおける外装筐体内部の温度上昇も回避でき、プロジェクター１の光学部品２，３Ａ，３Ｂ，４，５，７のみならず、前記電子デバイスを構成する各部材の熱劣化も防止できる。
また、光源接続部９１、及び第１，第２側壁部９２，９３で囲まれる空間に筐体８を配設するように構成することで、放熱部材９に上述した放熱機能の他、筐体８を補強する機能をも持たせることができる。
【００３７】
さらに、第１，第２側壁部９２，９３に第２開口部９２１，９３１がそれぞれ形成されているので、各第１開口部８２３，８１７に挿通された液晶パネル５の一部と第１，第２側壁部９２，９３とが機械的に干渉することがない。
このため、光源装置２〜光源接続部９１〜第１，第２側壁部９２，９３に伝達された熱が液晶パネル５に伝わることを防止でき、液晶パネル５の熱劣化を効果的に防止できる。
【００３８】
[第２実施形態]
次に、本発明の第２実施形態を図面に基づいて説明する。
以下の説明では、前記第１実施形態と同様の構成及び同一部材には同一符号を付して、その詳細な説明は省略または簡略化する。
図６は、第２実施形態におけるプロジェクター１の構成を示す図である。
本実施形態では、図６に示すように、前記第１実施形態に対して、放熱部材９の構成が異なるのみである。
【００３９】
具体的に、放熱部材９は、図６に示すように、光源接続部９１、第１，第２側壁部９２，９３の他、第３側壁部９４を備える。
第３側壁部９４は、光源接続部９１、及び第１，第２側壁部９２，９３に接続し、筐体８に放熱部材９が接続した状態で、筐体８の第４側面８Ｒに対向して配設される。
すなわち、筐体８は、光源接続部９１、及び第１〜第３側壁部９２〜９４で囲まれる空間に配設されることとなる。
また、上述した位置に第３側壁部９４が設けられているため、ＦＰＣ６の他端は、図６に示すように、第３側壁部９４から離間するように引廻されることとなる。
【００４０】
上述した第２実施形態によれば、以下の効果がある。
本実施形態では、放熱部材９は、光源接続部９１、及び第１，第２側壁部９２，９３の他、第３側壁部９４も備える。
このことにより、プロジェクター１を前記電子デバイスにおける外装筐体内部の角隅部分に配設すれば、第１，第２側壁部９２，９３のいずれか一方のみならず、第３側壁部９４も前記電子デバイスにおける外装筐体内面に当接させることができる。
したがって、放熱部材９から前記電子デバイスにおける外装筐体に伝える熱量を増加させることが可能となり、光源装置２の熱を前記電子デバイスにおける外装筐体外部に効果的に放熱できるとともに、前記電子デバイスにおける外装筐体内部の温度上昇も効果的に回避できる。
また、放熱部材９に第３側壁部９４を設け、光源接続部９１、及び第１〜第３側壁部９２〜９４で囲まれる空間に筐体８を配設するように構成することで、筐体８を効果的に補強できる。
【００４１】
さらに、ＦＰＣ６は、他端が第３側壁部９４から離間するように引廻される。言い換えれば、第３側壁部９４は、ＦＰＣ６（他端）が接続する前記制御基板の配設側とは逆側に設けられている。
このことにより、上述したようにプロジェクター１を前記電子デバイスにおける外装筐体内部の角隅部分に配設すれば、前記制御基板の制約を受けることなく（前記制御基板に邪魔されることなく）、第３側壁部９４を前記電子デバイスにおける外装筐体内面に当接させることができる。
【００４２】
なお、本発明は前述の実施形態に限定されるものではなく、本発明の目的を達成できる範囲での変形、改良等は本発明に含まれるものである。
前記各実施形態では、液晶パネル５を透過型の液晶パネルで構成していたが、これに限らず、反射型の液晶パネルで構成しても構わない。
また、液晶パネル５において、適宜、カラーフィルターを設け、画素毎に赤（Ｒ）、緑（Ｇ）、青（Ｂ）の３色を表示してカラー画像を形成するように構成しても構わない。
前記各実施形態では、筐体８は、互いに別体で構成された第１，第２筐体部８１，８２の２体で構成されていたが、これに限らず、１部材で構成しても構わない。
前記各実施形態では、光源装置２をＬＥＤで構成していたが、これに限らず、例えば、レーザーダイオード、有機ＥＬ(Electro Luminescence)素子、シリコン発光素子等の他の発光素子を採用しても構わない。
【００４３】
前記各実施形態では、光源装置２は、ＦＰＣ６に実装されたＬＥＤで構成されていたが、これに限らず、ＦＰＣ６とは異なるプリント配線基板と、当該プリント配線基板に実装されたＬＥＤとで構成し、光源接続部９１を前記プリント配線基板に熱伝達可能に接続しても構わない。
ここで、前記プリント配線基板としては、前記ＬＥＤの熱を光源接続部９１に効果的に伝達させるために、アルミニウムあるいは銅等の金属をベースとして加工されたメタルコアＰＣＢ(Printed Circuit Board)で構成することが好ましい。
【産業上の利用可能性】
【００４４】
本発明は、光源装置と、光源装置から出射された光束を変調する光変調装置と、光変調装置にて変調された光束を投射する投射光学装置とを備えたプロジェクターに利用できる。
【符号の説明】
【００４５】
１・・・プロジェクター、２・・・光源装置、５・・・液晶パネル（光変調装置）、６・・・ＦＰＣ（フレキシブル基板）、７・・・投射レンズ（投射光学装置）、８・・・筐体、９・・・放熱部材、９１・・・光源接続部、９２・・・第１側壁部、９３・・・第２側壁部、９４・・・第３側壁部、８１２・・・光源用開口部、８１５・・・挿通部、８１７，８２３・・・第１開口部、９２１，９３１・・・第２開口部。
【図１】
0005879767.tif 000002
【図２】
0005879767.tif 000003
【図３】
0005879767.tif 000004
【図４】
0005879767.tif 000005
【図５】
0005879767.tif 000006
【図６】
0005879767.tif 000007